(57)【要約】【課題】複雑でなく、かつ標識等を簡便に着脱可能にする機構を備えるレバースイッチが設けられた電器機器を提供する。【解決手段】機器を操作するためのレバースイッチを備える電気機器であって、前記レバースイッチのレバーは所定の上方位置と下方位置とに切り替え可能であり、前記レバーの上面に、前記レバーの幅方向に溝が形成され、前記溝は入口部分よりも奥が広まっており、前記レバーが前記下方位置にある状態で、前記溝に掛けられた紐を前記溝内に保持可能である。【選択図】図１
2008097880.tif 000002
【特許請求の範囲】
【請求項１】
機器を操作するためのレバースイッチを備える電気機器であって、
前記レバースイッチのレバーは所定の上方位置と下方位置とに切り替え可能であり、
前記レバーの上面に、前記レバーの幅方向に溝が形成され、
前記溝は入口部分よりも奥が広まっており、前記レバーが前記下方位置にある状態で、前記溝に掛けられた紐を前記溝内に保持可能であることを特徴とする、
レバースイッチを備える電気機器。
【請求項２】
前記溝の入口部分に、前記入口部分を開閉可能にするゲートを設置することを特徴とする、
請求項１に記載のレバースイッチを備える電気機器。
【請求項３】
前記ゲートはバネによって閉方向に付勢されていることを特徴とする、
請求項２に記載のレバースイッチを備える電気機器。
【請求項４】
前記レバーの先端部の、前記溝の入口部分より手前側に、上方へ突起する突起部を備えることを特徴とする、
請求項１〜３のいずれかに記載のレバースイッチを備える電気機器。
【請求項５】
前記電気機器がブレーカであることを特徴とする、
請求項１〜４のいずれかに記載のレバースイッチを備える電気機器。
【発明の詳細な説明】
【技術分野】
【０００１】
標識を取り付け可能なレバースイッチを備える電気機器に関し、とくに、レバースイッチを備えるブレーカに関する。
【背景技術】
【０００２】
一般家庭や発電所において、定められた以上の電流が流れると回路を自動的に遮断する装置であるノーヒューズブレーカや漏電ブレーカが設置されている。これらのブレーカにより、電路に過電流（過負荷電流、短絡電流）が流れると電路を遮断し、ブレーカより下位側の電路等を焼損から保護する。また、ブレーカより下位側の電路や設備等において、電気作業や設置作業等を行う場合、ブレーカのスイッチをＯＦＦに（電路を遮断）してから作業する。そして、特に発電所や大規模ビルで作業を行う場合、作業者やブレーカの数が多いため、ブレーカのスイッチをＯＦＦにして作業するときには、各ブレーカに「作業中」などの標識を設け、そのブレーカの下位側で作業を行っていることを明示することで、作業中に他の作業者等がブレーカのスイッチをＯＮにしてしまうのを防止している。
【発明の開示】
【発明が解決しようとする課題】
【０００３】
ブレーカのスイッチは電路を遮断するためのものであるため、前述した標識等を取り付ける適切な箇所等が存在しない。そのため、ブレーカのスイッチをＯＦＦにして標識を取り付ける際は、標識の裏面に両面テープ等を貼ってブレーカのスイッチに貼り付けている。さらに、標識が「Ａ工程の作業中」や「Ｂ工程の作業中」などのように複数枚ある場合、各作業が完了するごとに、それらを一枚ずつ重ねて貼り付けたりすることもある。
【０００４】
しかしながら、元来、ブレーカのスイッチは標識等を取り付けられるように設計されていないため、両面テープなどでブレーカのスイッチに取り付けられた標識は、人がぶつかったりテープの粘着力が低下したりすることで取れてしまうことがある。標識が取れてしまうと、電気作業中や設置作業中にも拘わらず、標識がないことを理由に別の作業者等がブレーカのスイッチをＯＮにしてしまう可能性がある。また、標識を取り外した後、テープに付着していた接着剤がスイッチ部分に残存することがある。このような場合、そのスイッチ部分がべとついたり、その接着剤に塵や埃が付着して汚れとなったりするため、スイッチ部分の清掃をする必要が度々生じる。
【０００５】
このような状況に鑑み、本発明は、簡単な構成で、レバースイッチのレバーに取付けた標識等の着脱を簡便に行うことができ、かつ、取付けられた標識等が所定の取り外し操作以外で外れてしまうのを防止することが可能なレバースイッチを備える電器機器を提供することを目的とする。
【課題を解決するための手段】
【０００６】
本発明である機器を操作するためのレバースイッチを備える電気機器において、前記レバースイッチのレバーは所定の上方位置と下方位置とに切り替え可能であり、前記レバーの上面に、前記レバーの幅方向に溝が形成され、前記溝は入口部分よりも奥が広まっており、前記レバーが前記下方位置にある状態で、前記溝に掛けられた紐を前記溝内に保持可能である。さらに、前記溝の入口部分に、前記入口部分を開閉可能にするゲートを設置してもよいし、前記ゲートはバネによって閉方向に付勢されていることとしてもよい。
【０００７】
また、前記レバーの先端部の、前記溝の入口部分より手前側に、上方へ突起する突起部を備えていたり、前記電気機器がブレーカであったりするような構成でもよい。
【発明の効果】
【０００８】
この発明により、構成が簡単で、標識等を簡便に着脱可能にすることができるレバースイッチを提供することが可能となる。また、レバースイッチに取り付けられた標識は、所定の取り外し動作以外では外れないため、電気作業中や設置作業中に標識がないことを理由にブレーカのスイッチをＯＮにしてしまうのを防止することが可能となる。さらに、標識を貼り付けるのではなく、紐でぶら下げる構成であるため、レバースイッチがべとついたり、汚れたりすることがなくなる。
【発明を実施するための最良の形態】
【０００９】
＝＝＝レバースイッチを備えた電気機器の構成例＝＝＝
図１は、本発明の一実施形態であるノーヒューズブレーカ１００を示す斜視図（レバースイッチ２０の拡大図を含む）である。同図に示すように、ノーヒューズブレーカ１００は、一般に市販されているノーヒューズブレーカであり、ノーヒューズブレーカ１００の筺体の役割をする機器ハウジング１０と、ノーヒューズブレーカ１００の電路を遮断するためのレバースイッチ２０とを備えている。ノーヒューズブレーカ１００は、建物壁面等に取り付けられる。機器ハウジング１０は、ノーヒューズブレーカ１００の回路基板等を包含し、それらを保護する役目を担っている。レバースイッチ２０は機器ハウジング１０の正面パネルに取り付けられ、レバースイッチ２０のレバー２２は上下に切り替え可能である。
【００１０】
レバースイッチ２０は、ＯＮ（通電可能）とＯＦＦ（電路の遮断）の設定ができればよく、レバー２２を上方位置に位置させることでＯＮ、下方位置に位置させることでＯＦＦとする。勿論、レバー２２を下方位置に位置させることでＯＮ、上方位置に位置させることでＯＦＦとする構成も可能である。レバー２２はプラスチック材料で作製され、その上面の先端付近に溝２４が形成されている。
【００１１】
図１には、レバー２２が下方位置にあってレバースイッチ２０がＯＦＦの状態を示している。レバー２２の上面にその幅方向に形成された溝２４は、入口２４ａよりも奥が広まっている。この溝２４に、取手部分が紐２６で形成された「作業中」の標識２８を吊り下げる。かかる溝２４の構成により、紐２６などを入口２４ａから溝２４に入れて吊り下げ易くなり、かつ紐２６が鉛直方向に引かれても溝２４の奥の空間に保持され、入口２４ａから容易に抜け落ちることを防止している。吊り下げた標識２８は、溝２４の入口２４ａから紐２６を上方に取り出すだけの簡単な操作で、溝２４から取り外すことができる。また、溝２４の内部の表面は、紐２６との摩擦を少なくするために滑らかであることが好ましい。
【００１２】
レバー２２の先端（溝２４の入口２４ａよりも手前の位置）には、上方に突起する突起部２２ａが設けられている。この突起部２２ａにより、万一紐２６が溝２４から抜け出した場合にも標識２８の紐２６が突起部２２ａに引っ掛かって落下するのを防止できる。
【００１３】
なお、本実施例において用いる電気機器はノーヒューズブレーカであるが、レバースイッチを備える電気機器であれば、これに限られない。
【００１４】
＝＝＝その他の構成例＝＝＝
図２に示す構成において、レバースイッチ３０は、上記実施形態のレバースイッチ２０と基本構成は同じであるが、レバー３２に設けられた溝２４の入口２４ａを開閉可能にするゲート板３４をさらに備える。ゲート板３４は、バネ（図示せず）によって、溝２４の内側から閉方向（つまり上向き）に付勢されており、外力が作用しない状態では溝２４の入口２４ａを塞いでいる。また、ゲート板３４を溝２４の外側から押圧することで、溝２４の入口２４ａを開けることができる。この構成によって、溝２４に吊り下げた紐２６などが入口２４ａから抜け落ちるのをより確実に防止でき、また、ゲート板３４を指などで下向きに押圧して溝２４を開けるだけで、溝２４に吊り下げた紐２６を簡単に取り外すことができる。
【００１５】
以上説明したように、上記実施形態のレバースイッチ２０、３０によれば、構成が簡単で、標識等を簡便に着脱可能にすることができる。また、レバースイッチに取り付けられた標識は、所定の取り外し動作以外では外れないため、電気作業中や設置作業中に標識がないことを理由にブレーカのスイッチをＯＮにしてしまうのを防止することが可能となる。さらに、標識を貼り付けるのではなく、紐でぶら下げる構成であるため、レバースイッチがべとついたり、汚れたりすることがなくなる。
【図面の簡単な説明】
【００１６】
【図１】本発明の一実施例におけるノーヒューズブレーカの斜視図とレバースイッチの拡大図である。
【図２】本発明の一実施例におけるレバースイッチの拡大図である。
【符号の説明】
【００１７】
１０        機器ハウジング
２０，３０  レバースイッチ
２２，３２  レバー
２４        溝
３４        ゲート板
１００      ノーヒューズブレーカ
【図１】
2008097880.tif 000003
【図２】
2008097880.tif 000004